(57)【要約】【課題】排除券処理を迅速に行うことができ、処理効率の良い紙葉類処理方法を提供する。【解決手段】排除券処理のために鑑査部にスキャナを用いて前記紙葉類の画像情報を読み込み、表示画面で読み取り、入力を行う。【選択図】図２
2007257115.tif 000002
【特許請求の範囲】
【請求項１】
紙葉類の特徴量を検知する鑑査部、及びスキャナを有する紙葉類処理装置を用いて、前記鑑査部で得られた検知情報に基づいて、前記判別部により前記紙葉類が流通可能な正券か、流通不可能な損券か、あるいは判別不能な排除券かを判別し、かつ前記スキャナを用いて前記紙葉類の画像情報を読み込む工程と、
複数台の排除券処理端末機を用い、前記排除券の画像情報を分けて表示し、その特徴量を各々読み取る工程と、
得られた読み取り情報に基づいて排除券を判別する工程とを具備することを特徴とする紙葉類の処理方法。
【請求項２】
前記紙葉類処理装置で得られた画像情報を画像情報蓄積部に保存する工程をさらに有し、前記排除券の画像情報は、前記画像情報蓄積部から複数台の排除券処理端末機に、各々分けて取得することを特徴とする請求項１に記載の紙葉類の処理方法。
【請求項３】
前記排除券の画像情報からその特徴量を読み取る工程では、前記鑑査部で検知された排除券情報を用いて、前記画像情報蓄積部から前記排除券の画像情報を、前記排除券処理端末機に、種別毎に表示することを特徴とする請求項２に記載の紙葉類の処理方法。
【請求項４】
前記排除券を判別する工程において、前記鑑査部で検知された排除券情報を使用し、前記排除券の読み取り情報で補填することを特徴とする請求項１ないし３のいずれか１項に記載の紙葉類の処理方法。
【請求項５】
紙葉類の特徴量を検知する鑑査部、
前記鑑査部で得られた検知情報に基づいて、前記紙葉類が流通可能な正券か、流通不可能な損券か、あるいは判別不能な排除券かを判別する判別部、及び
前記紙葉類の画像情報を読み込むスキャナを有する紙葉類処理部と、
前記紙葉類処理部と接続され、前記画像情報からその特徴量を各々読み取り、得られた読み取り情報に基づいて前記排除券を判別する複数台の排除券処理端末機とを具備することを特徴とする紙葉類処理装置。
【発明の詳細な説明】
【技術分野】
【０００１】
本発明は、例えば有価証券等を判別処理するための紙葉類処理方法及び紙葉類処理装置に関する。
【背景技術】
【０００２】
紙葉類処理装置において，例えば紙幣、バッチカード、及びカジノチケット等の有価証券が鑑査部において判別ができなかった場合、その有価証券は排除券として、排除券が区分集積される排除ポケットにリジェクトされる。係員は、そのリジェクトされた排除券を排除ポケットから取り出し、枚数を数えたり、バッチカード番号を直接見たりして排除券処理を行っていたため、排除券処理の作業効率は悪かった。
【０００３】
また、排除券を排除ポケットから直接取り出さなくても確認し得る手段として、例えば郵便物の区分処理に使用されるビデオコーディングシステムがあげられる（例えば、特許文献１参照）。しかしながら、このシステムは、装置が大掛かりとなり、コストが高いという問題があった。
【特許文献１】特開平８−２４７９７号公報
【発明の開示】
【発明が解決しようとする課題】
【０００４】
本発明は、上記事情に鑑みてなされたもので、排除券処理を迅速に行うことができ、処理効率の良い紙葉類処理方法を提供することを目的とする。
【課題を解決するための手段】
【０００５】
本発明の紙葉類の処理方法は、紙葉類の特徴量を検知する鑑査部、及びスキャナを有する紙葉類処理装置を用いて、前記鑑査部で得られた検知情報に基づいて、前記紙葉類が流通可能な正券か、流通不可能な損券か、あるいは判別不能な排除券かを判別し、かつ前記スキャナを用いて前記紙葉類の画像情報を読み込む工程と、
複数台の排除券処理端末機を用い、前記排除券の画像情報を分けて表示し、その特徴量を各々読み取る工程と、
得られた読み取り情報に基づいて排除券を判別する工程とを具備することを特徴とする。
【０００６】
本発明の紙葉類処理装置は、紙葉類の特徴量を検知する鑑査部、
前記鑑査部で得られた検知情報に基づいて、前記紙葉類が流通可能な正券か、流通不可能な損券か、あるいは判別不能な排除券かを判別する判別部、及び
前記紙葉類の画像情報を読み込むスキャナを有する紙葉類処理部と、
前記紙葉類処理部と接続され、前記画像情報からその特徴量を各々読み取り、得られた読み取り情報に基づいて前記排除券を判別する複数台の排除券処理端末機とを具備することを特徴とする。
【発明の効果】
【０００７】
本発明を用いると、排除券処理が迅速であり、処理効率の良い紙葉類処理を行うことが出来る。
【発明を実施するための最良の形態】
【０００８】
以下、この発明の実施の形態について図面を参照して説明する。  
図１は、本発明の紙葉類処理の方法に使用される紙葉類処理装置の一例として、紙幣処理装置１の構成を概略的に表す図を示す。
【０００９】
この紙幣処理装置は、紙幣処理装置本体１と紙幣処理装置本体１を操作するための制御装置２とから構成されている。上記制御装置２が制御する紙幣処理装置本体１は、１台であっても、複数台であっても良い。
【００１０】
紙幣処理装置本体１は、紙幣を種類あるいは状態に応じて区分し、区分した紙幣を種類あるいは状態ごとに集積する区分集積装置１Ａと所定数毎に紙幣を施封する施封装置１Ｂとを有している。上記紙幣処理装置本体１は、１つの区分集積装置１Ａに対して任意の数の施封装置１Ｂが接続可能な構成となっている。
【００１１】
上記区分集積装置１Ａは、複数の種類からなる複数の紙幣が一括して投入される。上記区分集積装置１Ａは、投入された各紙幣の種類及び状態に応じて分類する。上記区分集積装置１Ａは、分類した紙幣を各集積庫（カセット）あるいは施封装置１Ｂへ搬送する。上記施封装置１Ｂは、上記区分集積装置１Ａから供給される紙幣を集積庫（カセット）に集積し、所定数毎に紙帯で施封する。
【００１２】
上記制御装置２は、上記紙幣処理装置本体１の制御、上記紙幣処理装置本体１に対する動作設定、あるいは上記紙幣処理装置本体１による処理データの管理などを行う。上記制御装置２は、たとえば、パーソナルコンピュータにより構成される。上記制御装置２は、表示部、操作部および記憶部などを有している。
【００１３】
紙幣処理装置１は、その機能を果たす為に様々な可動部の制御機能や紙幣判別の検知機能を有している。
【００１４】
次に、上記紙幣処理装置本体１の内部の構成について説明する。
【００１５】
図１に示すように、紙幣処理装置本体１は、区分集積装置１Ａおよび施封装置１Ｂにより構成されている。
【００１６】
上記区分集積装置１Ａには、複数の紙幣Ｐを投入する投入部４が設けられている。上記投入部４には、複数の種類が混在する複数の紙幣が一括して投入される。上記投入部４に投入される紙幣Ｐは、それぞれ長手方向と幅方向とを有する。上記投入部４には、紙幣の長手方向の上端或いは下端が下を向く姿勢で投入される。
【００１７】
上記投入部４は、ステージ５、バックアッププレート６、および、取出しローラ１０を有している。上記ステージ５には、複数の紙幣Ｐがその上端或いは下端に当接して整位された状態で投入される。上記バックアッププレート６は、上記ステージ５に対して鉛直方向に立設されている。上記バックアッププレート６は、ばね８によりステージ５に沿って取出しローラ１０側（図中左方向）に移動するようになっている。上記取出しローラ１０は、１対のローラにより構成される。上記取出しローラ１０は、所定方向に回転することによりステージ５上の図中左端にある紙幣Ｐを順に取り出す。したがって、上記投入部４に投入された複数の紙幣Ｐは、バックアッププレート６によってステージ５に沿って移動され、取出しローラ１０（取出し部）に押し付けられる。
【００１８】
上記取出しローラ１０の後段には、搬送路１２が設けられている。上記搬送路１２は、複数のローラ１５と搬送ベルト１４、１６により構成されている。上記搬送路１２では、複数のローラ１５により駆動する搬送ベルト１４、１６により紙幣Ｐが搬送される。上記搬送路１２には、上記取出しローラ１０により取り出された紙幣Ｐが順に供給される。たとえば、上記取出しローラ１０は、紙幣Ｐをその上端或いは下端を先頭にして短手方向に搬送路１２に供給する。また、上記取出しローラ１０により搬送路１２上に供給される紙幣Ｐは、表裏がばらばらの状態となっている。図１に示す構成例では、上記投入部４から取出される紙幣Ｐの取出し方向は下向きとなっている。
【００１９】
上記取出しローラ１０の後段には、鑑査部３０が設けられている。上記鑑査部３０は、紙幣Ｐの券種、表裏、天地、汚れや破損の有無等の特徴を検知する。上記鑑査部３０は、種々のセンサ及びスキャナ６０により構成される。上記鑑査部３０に設けられる種々のセンサは、搬送路１２を搬送される紙幣Ｐから種々の情報を読み取る。上記鑑査部３０には、たとえば、紙幣Ｐの表面の画像を検知するイメージセンサ、紙幣Ｐの厚さを検知するセンサ、紙幣Ｐに含まれる磁性体を検知するセンサ、などが設けられる。
【００２０】
上記鑑査部３０の各センサにより読み取った情報に基づいて、図示しない判定部により、上述したような紙幣Ｐの特徴を判定する。上記判定部では、各センサにより読み取った情報と基準となる情報とを比較することにより紙幣Ｐの特徴を判定することができる。また、上記判定部は、鑑査部３０の検知情報に基づく判定結果、及び枚数等を制御装置２に出力し、記憶部に登録する。
【００２１】
たとえば、上記判定部は、当該紙幣Ｐの券種を判定するとともに、当該紙幣Ｐの表裏および天地を判定する。さらに、上記判定部は、当該紙幣Ｐが正券か損券かを判定する。正券とは、再流通が可能な券であり、損券とは、再流通が不可な券である。つまり、正券か損券かは、紙幣の状態（質）の良し悪しにより判定されるものである。上記判定部では、紙幣の汚れ、破れ、折れ、紙質、テープ貼り等の度合いによって正券か損券かを判定する。また、判定結果、及び枚数等の検知情報は制御装置２に登録される。
【００２２】
スキャナ６０は、紙幣Ｐの画像を取り込み、得られた画像情報は、例えば制御装置２及び排除券処理端末機６２を介して画像情報蓄積部６１へ送られる。
【００２３】
図１に示す区分集積装置１Ａでは、表裏および天地がばらばらの状態の複数の紙幣Ｐが上記投入部４に投入される。このため、上記鑑査部３０を通過する各紙幣Ｐも、表裏および天地がばらばらな状態となっている。ここで、上記鑑査部３０を通過する紙幣Ｐの表裏および天地に関する向きは４種類ある。以下の説明では、表面が上方を向いて搬送方向前方に対して上端を向けて取出された紙幣Ｐを表上（ＦＦ）券と称し、表面が上方を向いて搬送方向前方に対して下端を向けて取出された紙幣Ｐを表下（ＦＲ）券と称し、裏面が上方を向いて搬送方向前方に対して上端を向けて取出された紙幣Ｐを裏上（ＢＦ）券と称し、裏面が上方を向いて搬送方向前方に対して下端を向けて取出された紙幣Ｐを裏下（ＢＲ）券と称する。つまり、鑑査部３０を通過して搬送される紙幣Ｐは、これら４種類の搬送姿勢のうちいずれかの姿勢で搬送されることになる。
【００２４】
上記鑑査部３０の後段に延設された搬送路１２上には、鑑査部３０における検知結果に基づいて紙幣Ｐの搬送方向を選択的に切換えるための複数のゲートＧ１〜Ｇ９が設けられている。
【００２５】
まず、ゲートＧ１は、紙幣Ｐを後段の処理が可能なものと排除するものとに振り分ける。たとえば、上記鑑査部３０において、後段の処理が不可能であることが判定された紙葉類（排除券）は、ゲートＧ１を介して排除券カセット３２へ搬送され、排除される。後段の処理が不可能な紙葉類としては、例えば上記設定カード、２枚取りが判定された紙幣、所定のレベルを超えて大きくスキューしたことが判定された紙幣、或いは再流通可能な正券と判定されなかった損券や、偽券などがある。上記排除券カセット３２には、排除券がリジェクトされたことを検知する図示しない排除検知器が設けられている。排除券カセット３２は、紙葉類処理装置１の外部からアクセスが可能となっているので、排除券カセット３２に集積された紙幣Ｐは、係員が取り出すことができるようになっている。また、鑑査部３０において、後段の処理が不可能であることが判定された排除券に関する検知情報は、正券または損券と判定された紙葉類に関する検知情報と同様に制御装置２に送られ、記憶部に登録される。
【００２６】
一方、鑑査部３０において後段の処理が可能であると判定された紙幣Ｐは、ゲートＧ１を介してゲートＧ２へ搬送される。ゲートＧ２は、表裏に応じて紙幣Ｐを振り分けるようになっている。ゲートＧ２の下流側の搬送路は、２方向に分岐されている。すなわち、ゲートＧ２は、表裏の状態に応じて紙幣Ｐの搬送方向を２方向に選択的に切換える。
【００２７】
ゲートＧ２の下流側で分岐された一方の搬送路上には、紙幣Ｐの表裏を反転させるための表裏反転機構３４（表裏反転部）が設けられている。また、ゲートＧ２の下流側で分岐された他方の搬送路３６は、紙幣Ｐの表裏を変化させずに、単に紙幣Ｐを通過させる搬送パスとなっている。すなわち、ゲートＧ２の後段では、紙幣Ｐの表裏を取り揃えられるようになっている。
【００２８】
上記表裏反転機構３４は、２組の搬送ベルト３３、３５により構成される。上記搬送ベルト３３および３５は、その入口から出口に向けて中心軸の回りで１８０°回転されたねじり搬送路を形成している。したがって、上記ゲートＧ２により表裏反転機構３４へ振り分けられた紙幣Ｐは、表裏反転される。たとえば、ＦＦ券は、上記表裏反転機構３４により表裏反転され、裏面を上にしたＢＦ券に反転される。
【００２９】
上記表裏反転機構３４を通過して表裏反転された紙幣Ｐ、および、上記表裏反転機構３４を通過せずに搬送路（搬送パス）３６を通過した紙幣Ｐは、いずれも合流部３８を介してゲートＧ３に送り込まれる。
【００３０】
ゲートＧ２から表裏反転機構３４を介して合流部３８に至る紙幣Ｐの処理時間（搬送時間）とゲートＧ２から搬送路３６を介して合流部３８に至る紙幣Ｐの搬送時間とが同じになるように設定されている。これにより、表裏反転機構３４を介して搬送された紙幣Ｐと搬送路３６を通過された紙幣Ｐとが同じタイミングで合流部３８を通過する。
【００３１】
ゲートＧ３は、合流部３８を通過した紙幣Ｐを振り分けるようになっている。ゲートＧ３の下流側の搬送路は、２方向に分岐されている。ゲートＧ３は、紙幣Ｐの種類（あるいは状態）に応じて紙幣Ｐの搬送方向を２方向に選択的に切換える。
【００３２】
ゲートＧ３の下流側で分岐された一方の搬送路は、紙幣Ｐを施封装置１Ｂへ搬送するための搬送路である。また、ゲートＧ３の下流側で分岐された他方の搬送路（水平搬送路）４０は、紙幣Ｐを区分集積装置１Ａ内の各集積庫４１〜４６に集積するための搬送路である。また、各集積庫４１〜４６には、それぞれ図示しない紙幣の有無を検知するセンサが設けられている。
【００３３】
すなわち、ゲートＧ３により分岐された水平搬送路４０は、複数の集積庫４１〜４６の上方で略水平方向に延びた搬送路を形成している。水平搬送路４０上には、紙幣Ｐを６つの集積庫４１〜４６のうちのいずれか１つに振り分けて集積するための５つのゲートＧ５〜Ｇ９が設けられている。
【００３４】
水平搬送路４０の最も上流側にあるゲートＧ５によって選択的に振り分けられた紙幣Ｐは集積庫４１に集積される。ゲートＧ６によって選択的に振り分けられた紙幣Ｐは集積庫４２に集積される。ゲートＧ７によって選択的に振り分けられた紙幣Ｐは集積庫４３に集積される。ゲートＧ８によって選択的に振り分けられた紙幣Ｐは集積庫４４に集積される。ゲートＧ９によって選択的に振り分けられた紙幣Ｐは集積庫４５或いは集積庫４６に集積される。
【００３５】
上記施封装置１Ｂは、図１に示すように、集積庫５１、集積庫５２、供給部５３、施封機構５４、印刷機構５５、帯供給部５６を有している。上記集積庫５１、５２は、それぞれゲートＧ４を介して送り込まれた紙幣Ｐを集積する。各集積庫５１、５２には、それぞれ紙幣の有無を検知するセンサが設けられている。
【００３６】
上記供給部５３は、集積庫５１あるいは５２に集積された所定枚数（たとえば１００枚）の紙幣Ｐを施封機構５４に供給する。上記施封機構５４は、供給部５３によって供給される集積庫５１あるいは５２に集積された所定枚数（たとえば１００枚）の紙幣Ｐを紙帯で施封する施封機構である。上記印刷機構５５は、上記施封機構５４で使用する紙帯に所望の印刷データを印刷する。上記帯供給部５６は、上記施封機構５４で使用する紙帯を供給する。
【００３７】
上記施封装置１Ｂには、上記区分集積装置１ＡのゲートＧ３により図中左方向に分岐された搬送路によって紙幣Ｐが供給される。上記区分集積装置１Ａから供給された紙幣Ｐは、施封装置１Ｂ内においてゲートＧ４により搬送方向が２方向に選択的に切換えられる。ゲートＧ４によって分岐搬送される紙幣Ｐは、施封装置１Ｂ内の集積庫５１あるいは集積庫５２に選択的に集積される。
【００３８】
上記ゲートＧ４を介していずれかの集積庫５１あるいは５２に集積された紙幣Ｐは、供給部５３によって施封機構５４へ送り込まれる。上記施封機構５４では、上記帯供給部５６から供給された紙帯によって上記供給部５３により供給された所定枚数の紙幣Ｐを施封する。所定枚数毎に施封された紙幣Ｐの束は、図示しないコンベアを介して装置外へ搬出される。
【００３９】
なお、上記区分集積装置１Ａでは、後述する設定に基づいて特定の券種を施封装置１Ｂへ供給するようになっている。したがって、上記施封装置１Ｂでは、上記区分集積装置１Ａが供給される特定の券種の紙幣を施封するようになっている。また、施封装置１Ｂにて施封すべき券種以外の券種の紙幣Ｐは、上記区分集積装置１Ａ内の集積庫４１〜４６のいずれかに集積される。
【００４０】
また、図２は、本発明の紙葉類処理方法を適用し得る紙葉類処理システムの一例を表す概略図を示す。
【００４１】
図示する様に、この紙葉類処理システムにおいて、図１の紙幣処理装置１は、制御装置２を介して、ホストコンピュータ６３に接続されている。また、紙幣処理装置１は、制御装置２を介して、排除券処理端末機６２に接続されている。排除券処理端末機６２は、画像情報蓄積部６１と接続され、画像情報蓄積部６１に画像情報を保存し、必要に応じて画像情報蓄積部６１から画像情報を取得できるようになっている。なお、この紙葉類処理システムには排除券処理端末機６２が複数設けられているけれども、図中では、簡略のため１台だけ表示してある。
【００４２】
まず、紙幣を紙幣処理装置１へ供給し、鑑査部３０で判別ができなかった場合、排除券用の排除券カセット３２へ区分される。
【００４３】
鑑査部３０では、スキャナにより取得した画像情報を排除券処理端末機６２へ送信し、排除券処理端末機６２は、受け取った画像情報を画像情報蓄積部６１に保存する。
【００４４】
排除券処理端末機６２は、画像情報蓄積部６１から、必要に応じて、画像情報を取得する。また、必要に応じて、排除券処理端末機６２は、鑑査部３０で読み取れることができた排除券の検知情報を、制御部２中の図示しない記憶部から取得することができる。
【００４５】
排除券処理端末機６２は，画像情報蓄積部６１から取得した排除券の画像情報を表示する。
【００４６】
係員は、排除券処理端末機６２に表示された画像情報を元に、紙幣の金額入力を行う。これにより、排除券を直接取り出して、排除券処理機６２に移動させることなく、排除券処理が可能となる。このとき、また、必要であれば、鑑査部３０で読み取れることができた紙幣の金額等の検知情報を、不完全なまま入力画面に表示することが出来る。これにより、係員は、画像情報を元に読み取られた紙幣の金額を、不完全な部分に追加して入力することができる。これにより、入力作業を簡略化することが出来る。また、複数の排除券処理端末機を併用し、排除券の画像情報を分けて表示して、排除券処理を分担することにより、より迅速な処理が可能となる。また、複数台の排除券処理端末機で排除券処理を行う間、平行して現金処理機を連続運転することが出来るので、紙幣処理装置での処理に影響を与えることがなく、現金の処理効率が向上する。さらに、排除券の画像情報を取り出して表示する際に、同じ種別例えば金額等が同じ紙幣の画像情報を連続して取得し、表示することができる。このようにすると、表示画面における確認事項、及び入力画面における入力事項が類似するため、処理効率が向上する。
【００４７】
排除券処理端末機６２は，係員による入力情報を紙幣処理装置１、またはホストコンピュータ６３へ送信することが出来る。
【００４８】
なお、上記例では、現金の処理について説明を行ったが、その他バッチカード及びカジノチケット等の処理にも同様に適用できる。
【図面の簡単な説明】
【００４９】
【図１】本発明に使用され得る紙幣処理装置１の構成を概略的に表す図
【図２】本発明を適用し得る紙葉類処理システムの一例を表す概略図
【符号の説明】
【００５０】
１…紙葉類処理装置、２…制御装置、３０…鑑査部、３２…排除券カセット、６０…スキャナ、６１…画像情報蓄積部、６２…排除券処理端末機
【図１】
2007257115.tif 000003
【図２】
2007257115.tif 000004